(57)【要約】【課題】顎変形症など顎外科手術が必要な高度な不正咬合患者の手術後の咬合を咬合器上で歯型模型を装着したままで行うことは困難である。本発明は、歯科用咬合器に三次元移動可能な咬合器の補助具を装着して顎変形症などの患者の歯型模型を咬合器に付けて不正咬合者の治療前・後に移動される咬合予測を容易にかつ迅速にできる補助具を提供することを第一の目的とする。【解決手段】歯科用咬合器基台部に三次元移動可能な機能が一体となった咬合器補助具を装着して各調節機構部分での前後、左右、傾斜回転、上下、水平回転などを計測目盛板１６，１７や計測棒８を用いて計測を行う。本発明の特徴である三次元移動可能な調整機能を用いて顎顔面頭蓋不正咬合者の顎外科手術前後の咬合移動変化を行って咬合の予測を行う。歯科補綴物製作に使用する時は、顎運動を正確に再現することができる、顎運動の三次元移動可能な咬合器補助具である。【選択図】　　　図１
2004105404.tif 000002
【特許請求の範囲】
【請求項１】
歯型模型を咬合器に装着して前後、左右、傾斜回転、上下、そして水平回転機能が一体となっていることを特徴とする三次元移動可能な咬合器補助具。
【請求項２】
前後左右移動量の計測を行うための計測値及び計測支持棒と計測矢印を有していることを特徴とする請求項１記載の三次元移動可能な咬合器補助具。
【請求項３】
傾斜回転軸は、半円形皿状の受け部と同じ形態の球状で球状上部に上下移動軸とが一体となっていることを特徴とする請求項１、請求項２記載の三次元移動可能な咬合器補助具。
【請求項４】
上下移動軸は、傾斜回転軸部の球状の中心部を球状底部まで貫通させスプリングを入れ上下移動を可能にした請求項１、請求項２、そして請求項３記載の三次元移動可能な咬合器補助具。
【発明の詳細な説明】
【０００１】
【発明が属する技術分野】
本発明は歯科矯正診断や歯科補綴物製作に必要な三次元移動可能な咬合器補助具に関する。
【０００２】
【従来の技術】
図７は従来の歯科用咬合器上で上下顎の咬合模型を中心咬合位で装着した状態を示す断面図である。図８は不正咬合者の顎外科手術前・後の咬合変化の予測を行うために下顎歯列の基底部を任意の位置で石膏を分離して歯型基底部と歯型模型部分とに分けて予想される位置に歯型模型部分を前後、上下そして回転させ想定される中心咬合位に移動させて、さらにその部位で再度歯列模型を石膏で固定して咬合器に取り付けた状態である。複雑な操作と熟練した技術で咬合を予測する作業が必要である。
【０００３】
【発明が解決しようとする課題】
顎変形症など顎外科手術が必要な高度な不正咬合患者の手術後の咬合を咬合器上で歯型模型を装着したままで行うことは困難であるが、咬合器上で上下顎骨の移動や咬合の改善が行われる様子をｖｉｓｕａｌに観察することは三次元の変化を立体的に再現できて有効な手段である。
しかし、従来の歯科用咬合器では歯型模型を咬合器に装着して三次元に咬合を移動できることを可能にした調節機能を有した咬合器やその補助器具などは見当たらない。
本発明は、歯科用咬合器に三次元移動可能な咬合器の補助具を装着して顎変形症などの患者の歯型模型を咬合器に付けた状態で不正咬合者の治療前・後の咬合予測を容易にかつ迅速に再現できる補助具を提供することを第一の目的とする。
また、歯科補綴物製作時の正確な顎運動を再現することが同時にできる咬合器補助具を提供することを第二の目的とする。
【０００４】
【課題を解決するための手段】
本発明は上記目的を達成するために、研究開発されたものであって、歯科用咬合器基台部に三次元移動可能な機能が一体となった咬合器補助具をマグネット付きマウンテイングプレートにマグネットで取り付ける方法とネジ止めで固定する方法の二通りのいずれかを選択して装着する。
咬合変化の移動距離を計測するには各調節機構部分での前後、左右、傾斜回転、上下、水平回転などは計測目盛板１６，１７や計測棒８を用いて計測を行う。
前後左右移動や傾斜回転は、前後左右移動基盤底部は移動させた後ネジにより任意の場所で固定できる（図，２，３，４）、基盤低部の上部に傾斜回転軸受け皿（図６）、傾斜回転軸（図５）、の機構を備えたものを特徴とする。
上下移動軸そして上部水平回転基盤（図５）の機構を備えたものを特徴とする。使用方法は水平回転基盤７の上部に歯牙模型を取り付けるマグネット付き基台を取り付けそこに中心咬合位で歯型模型を装着して、本発明の特徴である三次元移動可能な調整機能を用いて三次元の移動を行って咬合の予測を行う。顎顔面頭蓋不正咬合者の顎外科手術前後の咬合移動変化を予測するには、基盤底部１に取り付けた前後２と左右１１の移動板を前後移動軸９と左右移動軸１０を利用して移動させ水平的な変化を観察し、球面受け皿凹面１２と回転軸球面体１８の傾斜回転軸３機構部を動かして歯牙模型の左右回転と傾斜を観察し、上下移動軸５機構部で上下の変化を観察し、上部水平板７で左右の回転を観察できる、そして各々の機構はネジの締め付けで固定することができる３，４，６，１３，１４，１５。三次元移動可能な機構を備えたものを特徴とする三次元移動可能な咬合器補助具である。
歯科補綴物製作時に使用する場合は、上記の機構を利用して顎運動を正確に再現することができることを特徴としたものである。
顎運動の三次元移動可能な咬合器補助具である。
【０００５】
【発明の実施の形態】
咬合器の基台部分およびマグネット付きマウンテイングプレートに三次元移動可能な補助具を取り付け、顎外科手術前・後の個人の咬合予測を可能とすることと顎運動を正確に再現することを特徴とする咬合器補助具。
【０００６】
【実施例】
顎変形症や不正咬合患者の顎外科手術前後及び治療中の変化や治療後の変化を歯型模型で立体的に再現して咬合状態を予測できるようにするために、三次元移動可能な咬合補助具を歯科咬合器にネジ止めまたはマグネット付きマウンテイングプレートで取り付ける。上下歯型模型は三次元移動可能な咬合補助具の上部マグネット付き基台に中心咬合位で置き石膏で装着して取り付ける。咬合変化予測位置を決めるには、前後左右移動部分のネジを緩め目的の位置に移動し、その後傾斜回転軸を緩めて回転と傾きを与え、そして上下移動軸でのネジを緩め上下移動を行い咬合の予測位置を決めて固定するが、さらに細かな左右の調整を上部基台に付いているネジを緩めて左右回転移動させ正確な中心咬合位を得ることができる。また、その前後・左右・回転・傾き・上下移動距離等の計測は各調節機構部分の計測棒や計測矢印などと計測目盛板を用いて計測を行う。
歯科補綴物製作に使用する時は、顎運動を正確に再現することができるように三次元移動可能な咬合器補助具を装着したマグネット付き基台上に中心咬合位で作業模型を装着して補綴物作成を行い、前後左右移動底部基盤と傾斜回転軸、上下移動軸そして上部水平回転基盤当の各調節機構部分を作用させることで咬合面にそった滑走運動ができ最も正確な顎運動の再現が可能となり生体に調和した補綴物の製作を可能にすることができることを特徴とする。
【０００７】
【発明の効果】
本発明の三次元移動可能な咬合器補助具は、一般的に使用されている歯科用咬合器の基台部分にネジ止めまたはマグネット付きマウンテイングプレートで咬合器に取り付け、そして三次元移動を可能にするために本機構に組み込まれている作用で前後的・左右的移動と回転や傾斜及び上下移動など全ての咬合変化を再現できるように組み立てられた咬合器補助具である。よって、移動させた咬合を予測するための従来の方法である歯型模型を上下に分離することなく、咬合器に歯型模型を装着したままで容易に咬合変化を観察できることが最も特徴的でありその効果は絶大である。その結果、顎変形症患者等の手術前後の咬合予測を臨床の場で迅速に評価できること、手術のために床副子など特殊な製作物など、従来から行われてきた作業が熟練を必要とせずに誰でも作製することが可能になった。
また、補綴部作製にあたっても三次元に移動する咬合器補助具上で正確に咬合を再現でき補綴物の製作がより生体に近づき精密な歯科用補綴物を提供できるようになる。
【図面の簡単な説明】
【図１】本発明の三次元移動可能な咬合器補助具の斜面図
【図２】図１の正面図
【図３】図１の側面図
【図４】図１の平面図
【図５】回転軸球面体図
【図６】球面受け皿凹面図
【図７】模型を中心咬合位で装着した図
【図８】咬合器で上下顎移動させた予測中心咬合位の図
【符号の説明】
１　基底部
２　前後移動版
３　回転軸締め付けネジ
４　前後移動版締め付けネジ
５　上下移動軸
６　前後移動版締め付けネジ
７　上部水平版
８　計測棒
９　前後移動軸
１０　左右移動軸
１１　左右移動版
１２　球面受け皿凹面
１３　左右移動軸締め付けネジ
１４　上下移動軸固定締め付けネジ
１５　上下移動板締め付けネジ
１６　左右移動計測目盛版
１７　前後移動計測目盛版
１８　回転軸球面体
【図１】
2004105404.tif 000003
【図２】
2004105404.tif 000004
【図３】
2004105404.tif 000005
【図４】
2004105404.tif 000006
【図５】
2004105404.tif 000007
【図６】
2004105404.tif 000008
【図７】
2004105404.tif 000009
【図８】
2004105404.tif 000010